(57)【要約】【課題】着用者の肌への刺激を抑えつつおへそを保護するとともに、肌への刺激に対する母親のストレスを低減できる使い捨ておむつを提供する。【解決手段】使い捨ておむつ10の前端縁１１は、使い捨ておむつの幅方向の中心を含む領域において後方に向かって凹む曲線状の凹部１１１と、凹部の外側縁から幅方向に対して平行に延びる前直線部１１２と、を有し、使い捨ておむつの後端縁１２は、前記使い捨ておむつの幅方向の中心を含む領域において後方に向かって突出する曲線状の凸部１２１と、凸部の外側縁からに対して平行に延びる後直線部１２２と、を有する。使い捨ておむつは、前直線部における外側縁から後方に向かって曲線状に凹み、かつ使い捨ておむつの外側縁における前端縁から幅方向内側に向かって曲線状に凹む一対の第１切欠き部１５と、後直線部における外側縁から前方に向かって曲線状に凹み、かつ使い捨ておむつの外側縁における後端縁から幅方向内側に向かって曲線状に凹む一対の第２切欠き部１６と、を有する。【選択図】図１
2017136112.tif 000002
【特許請求の範囲】
【請求項１】
前胴回り域、後胴回り域、及び前記前胴回り域と前記後胴回り域との間に位置する股下域と、
前記前胴回り域から前記後胴回り域に向かう長手方向、及び前記長手方向と直交する幅方向と、
前記後胴回り域において前記幅方向に延び、前記前胴回り域に止着される一対のファスニングテープと、を有する使い捨ておむつであって、
前記使い捨ておむつの前端縁は、前記使い捨ておむつの幅方向の中心を含む領域において後方に向かって凹む曲線状の凹部と、前記凹部の外側縁から幅方向に対して平行に延びる前直線部と、を有し、
前記使い捨ておむつの後端縁は、前記使い捨ておむつの幅方向の中心を含む領域において後方に向かって突出する曲線状の凸部と、前記凸部の外側縁から幅方向に対して平行に延びる後直線部と、を有し、
前記前直線部における外側縁から後方に向かって曲線状に凹み、かつ前記使い捨ておむつの外側縁における前端縁から幅方向内側に向かって曲線状に凹む一対の第１切欠き部と、
前記後直線部における外側縁から前方に向かって曲線状に凹み、かつ前記使い捨ておむつの外側縁における後端縁から幅方向内側に向かって曲線状に凹む一対の第２切欠き部と、を有する、使い捨ておむつ。
【請求項２】
前記凹部と前記前直線部とが交差する第１交差部と、前記凸部と前記後直線部とが交差する第２交差部と、を有し、
前記第１交差部及び前記第２交差部は、曲線形状である、請求項１に記載の使い捨ておむつ。
【請求項３】
前記使い捨ておむつの外側縁は、着用者の脚回りに配置される脚回り開口部と、前記脚回り開口部の前方に配置される前フラップ部と、前記脚回り開口部の後方に配置される後フラップ部と、を有し、
前記脚回り開口部と前記前フラップ部とが交差する第３交差部、及び前記脚回り開口部と前記後フラップ部とが交差する第４交差部は、曲線形状である、請求項１又は請求項２に記載の使い捨ておむつ。
【請求項４】
前記第４交差部は、前記第３交差部よりも幅方向の外側に位置する、請求項３に記載の使い捨ておむつ。
【請求項５】
前記第１切欠き部は、前記前直線部から後方に向かって延びる第１延出部を有し、
前記第２切欠き部は、前記後直線部から前方に向かって延びる第２延出部を有し、
前記前直線部と前記第１延出部とがなす角度は、鈍角であり、
前記後直線部と前記第２延出部とがなす角度は、鋭角であり、
前記後直線部と前記第２延出部とが交差する第５交差部は、前記幅方向の外側に向かって尖った形状である、請求項１から請求項４のいずれかに記載の使い捨ておむつ。
【請求項６】
前記第１切欠き部は、前記前直線部から後方に向かって延びる第１延出部を有し、
前記第２切欠き部は、前記後直線部から前方に向かって延びる第２延出部を有し、
前記第１延出部及び前記第２延出部は、前記長手方向に対して平行に延びる、請求項１から請求項４のいずれかに記載の使い捨ておむつ。
【請求項７】
前記使い捨ておむつの後胴回り域に配置され、前記幅方向に伸縮する腰回り伸縮部を有する、請求項１から請求項６のいずれかに記載の使い捨ておむつ。
【請求項８】
前記股下域には、前記幅方向に延びる折り目が設けられており、
前記折り目と前記凸部の幅方向中心との長手方向の距離は、前記折り目と前記凹部の幅方向中心との長手方向の距離よりも長い、請求項１から請求項７のいずれかに記載の使い捨ておむつ。
【請求項９】
吸収体の非肌面側に配置されるバックフィルムと、
前記バックフィルムの非肌面側に位置する不織布からなる外装シートと、を有し、
前記バックフィルムの前端縁は、前記使い捨ておむつの前端縁よりも後方に位置し、
前記バックフィルムの後端縁は、前記使い捨ておむつの後端縁よりも前方に位置する、請求項１から請求項８のいずれかに記載の使い捨ておむつ。
【発明の詳細な説明】
【技術分野】
【０００１】
本発明は、使い捨ておむつに関する。
【背景技術】
【０００２】
一般的に、乳児（特に、新生児）のへそ部分は、肌表面が乾燥しておらず傷のような状態となっているため、かかる乳児のへそ部分に、使い捨ておむつの長手方向の端部が当たると、かかる乳児のへそ部分を傷つけたり、乳児に痛みを与えたりするという懸念があった。
【０００３】
使い捨ておむつにおいて、このようなデリケートな乳児のおへそを守るために、前胴回り域に使い捨ておむつの幅方向の中心に凹部を有する使い捨ておむつが知られている。使い捨ておむつの前端縁の幅方向の中央は、長手方向の内側に凹む凹部であり、前端縁の幅方向の側部は、長手方向の外側に突出する（例えば、特許文献１、図６、図８参照）。
【先行技術文献】
【特許文献】
【０００４】
【特許文献１】特表２００８−５２５１６２号公報
【発明の概要】
【発明が解決しようとする課題】
【０００５】
特許文献１の使い捨ておむつは、図６に示されているように、複数の使い捨ておむつの前胴回り域、股下域及び後胴回り域が長手方向連続した連続シートを搬送し、当該連続シートを幅方向に延びる切断線で切断することによって製造される。１つの使い捨ておむつの前端縁は、隣接する使い捨ておむつの後端縁となる。よって、使い捨ておむつの後端縁の幅方向の中央は、長手方向の外側に向かって突出し、後端縁の幅方向の側部は、長手方向の内側に凹む。
【０００６】
使い捨ておむつの後端縁における幅方向の側部が長手方向の内側に凹む形状であるため、後端縁における外側縁は、凹んだ底部から張り出し、長手方向の外側に向かって尖った形状となる。使い捨ておむつの後端縁が長手方向の外側に向かって尖った形状を有するため、尖った部分によって、デリケートな乳児の身体を傷つけたり、乳児に痛みを与えたりするという懸念があった。
【０００７】
本出願人が鋭意研究を重ねた結果、一般的に、尖った形状は、無意識に注意され易く、特に母親等の女性は、尖った形状に対する注意力が高いことがわかった。母親は、使い捨ておむつにおいて長手方向外側に向かって尖った形状が目立つと、乳児の肌への刺激を懸念し、ストレスとなることがある。
【０００８】
そこで、本発明は、このような状況に鑑みてなされたものであり、着用者の肌への刺激を抑えつつおへそを保護するとともに、肌への刺激に対する母親のストレスを低減できる使い捨ておむつを提供することを目的とする。
【課題を解決するための手段】
【０００９】
本開示に係る使い捨ておむつ（使い捨ておむつ10）は、前胴回り域（前胴回り域20）と、後胴回り域（後胴回り域30）と、前記前胴回り域と前記後胴回り域との間に位置する股下域（股下域25）と、前記前胴回り域から前記後胴回り域に向かう長手方向（長手方向L）と、前記長手方向と直交する幅方向（幅方向W）と、前記後胴回り域において前記幅方向に延び、前記前胴回り域に止着される一対のファスニングテープ（ファスニングテープ90）と、を有する使い捨ておむつであって、前記使い捨ておむつの前端縁（前端縁１１）は、前記使い捨ておむつの幅方向の中心を含む領域において後方に向かって凹む曲線状の凹部（凹部１１１）と、前記凹部の外側縁から幅方向に対して平行に延びる前直線部（前直線部１１２）と、を有し、前記使い捨ておむつの後端縁（後端縁１２）は、前記使い捨ておむつの幅方向の中心を含む領域において後方に向かって突出する曲線状の凸部（凸部１２１）と、前記凸部の外側縁からに対して平行に延びる後直線部（後直線部１２２）と、を有し、前記前直線部における外側縁から後方に向かって曲線状に凹み、かつ前記使い捨ておむつの外側縁における前端縁から幅方向内側に向かって曲線状に凹む一対の第１切欠き部（第１切欠き部１５）と、前記後直線部における外側縁から前方に向かって曲線状に凹み、かつ前記使い捨ておむつの外側縁における後端縁から幅方向内側に向かって曲線状に凹む一対の第２切欠き部(第２切欠き部１６)と、を有することを要旨とする。
【発明の効果】
【００１０】
本開示によれば、着用者の肌への刺激を抑えつつおへそを保護するとともに、肌への刺激に対する母親のストレスを低減できる使い捨ておむつを提供できる。
【図面の簡単な説明】
【００１１】
【図１】本実施形態に係る使い捨ておむつの展開平面図である。
【図２】図１に示す使い捨ておむつの前端縁を拡大した平面図である。
【図３】図１に示す使い捨ておむつの後端縁を拡大した平面図である。
【図４】図１に示す使い捨ておむつの外側縁を拡大した平面図である。
【図５】変形例に係る使い捨ておむつの展開平面図である。
【発明を実施するための形態】
【００１２】
本明細書及び添付図面の記載により、少なくとも以下の事項が明らかとなる。
【００１３】
前胴回り域、後胴回り域、及び前記前胴回り域と前記後胴回り域との間に位置する股下域と、
前記前胴回り域から前記後胴回り域に向かう長手方向、及び前記長手方向と直交する幅方向と、
前記後胴回り域において前記幅方向に延び、前記前胴回り域に止着される一対のファスニングテープと、を有する使い捨ておむつであって、
前記使い捨ておむつの前端縁は、前記使い捨ておむつの幅方向の中心を含む領域において後方に向かって凹む曲線状の凹部と、前記凹部の外側縁から幅方向に対して平行に延びる前直線部と、を有し、
前記使い捨ておむつの後端縁は、前記使い捨ておむつの幅方向の中心を含む領域において後方に向かって突出する曲線状の凸部と、前記凸部の外側縁から幅方向と対して平行に延びる後直線部と、を有し、
前記前直線部における外側縁から後方に向かって曲線状に凹み、かつ前記使い捨ておむつの外側縁における前端縁から幅方向内側に向かって曲線状に凹む一対の第１切欠き部と、
前記後直線部における外側縁から前方に向かって曲線状に凹み、かつ前記使い捨ておむつの外側縁における後端縁から幅方向内側に向かって曲線状に凹む一対の第２切欠き部と、を有する、使い捨ておむつ。
【００１４】
このような使い捨ておむつによれば、前胴回り域における曲線状の凹部によって着用者の肌への刺激を抑えつつおへそを保護できる。着用者の腹側は、背側に比べて膨らんだ形状であり、使い捨ておむつの前端縁が配置される。使い捨ておむつの前端縁は、切欠部と幅方向に対して平行に延びる前直線部が配置され、長手方向外側に向かって突出していない。そのため、着用者の膨らんだお腹に使い捨ておむつの前端縁があたった際の刺激が少なく、デリケートな乳児の肌を保護することができる。また、着用者の背中の中心は、背骨が配置され、左右の部位よりも腹側に凹んでいる。当該凹む部位（ミカエルの菱形）は、仙骨部分の凹みであり、凸部が配置される。凸部及び後直線部によって背中の凹む部位とその両側を覆うことができ、背側における漏れを防止できる。使い捨ておむつの後端縁は、凸部と幅方向に対して平行に延びる後直線部が配置され、長手方向外側に向かって突出していない。そのため、装着時に着用者を後胴回り域に載せて、着用者の背中に使い捨ておむつの後端縁があたった際の刺激が少なく、デリケートな乳児の肌を保護することができる。
【００１５】
また、使い捨ておむつの四隅を構成する第１切欠き部と第２切欠き部は、長手方向の内側に向かって曲線状に凹み、かつ幅方向の内側に向かって曲線状に凹む形状である。よって、第１切欠き部及び第２切欠き部は、長手方向外側に尖った形状を備えず、第１切欠き部及び第２切欠き部による肌に対する刺激を抑制できる。加えて、ファスニングテープが止着された状態で使い捨ておむつの前端縁と使い捨ておむつの後端縁は、重なるように配置される。このとき、第１切欠き部及び第２切欠き部が幅方向内側に凹むため、使い捨ておむつの後端縁における外側縁と使い捨ておむつの前端縁における外側縁とが重ならずに、幅方向に離間して配置されやすい。これにより、通気性が向上し、蒸れを抑制し、湿疹等の肌トラブルを抑制できる。また、使い捨ておむつの後端縁における外側縁と使い捨ておむつの前端縁における外側縁とが重なった場合には、第１切欠き部は、後胴回り域によって覆われるため、着用者の肌に直接当たり易い。当該第１切欠き部が曲線状に凹む形状であるため、着用時における肌への刺激を抑制できる。また、使い捨ておむつの四隅、前端縁、及び後端縁には、長手方向外側に尖った形状が設けられてないため、母親は、使い捨ておむつが全体的に肌に優しい印象を持ち、肌への刺激に対するストレスを低減できる。
【００１６】
かかる使い捨ておむつであって、
前記凹部と前記前直線部とが交差する第１交差部と、前記凸部と前記後直線部とが交差する第２交差部と、を有し、
前記第１交差部及び前記第２交差部は、曲線形状であることが望ましい。
【００１７】
このような使い捨ておむつによれば、第１交差部及び第２交差部が曲線形状であるため、デリケートなおへそ回りや背骨の硬い箇所に対する刺激を抑制できる。
【００１８】
かかる使い捨ておむつであって、
前記使い捨ておむつの外側縁は、着用者の脚回りに配置される脚回り開口部と、前記脚回り開口部の前方に配置される前フラップ部と、前記脚回り開口部の後方に配置される後フラップ部と、を有し、
前記脚回り開口部と前記前フラップ部とが交差する第３交差部、及び前記脚回り開口部と前記後フラップ部とが交差する第４交差部は、曲線形状であることが望ましい。
【００１９】
このような使い捨ておむつによれば、第３交差部及び第４交差部が曲線形状であり、脚回り開口部の前端縁及び後端縁に尖った角が形成されない。着用者が脚を動かして脚回り開口部が着用者に強く当たった場合であっても、着用者の脚回りに対する刺激を抑えることができる。
【００２０】
かかる使い捨ておむつであって、
前記第４交差部は、前記第３交差部よりも幅方向の外側に位置することが望ましい。
【００２１】
脚回り開口部とフラップ部とが交差する第３交差部及び第４交差部は、フラップ部に係る力と脚回りに係る力との両方がかかるため、力が集中し易い。このような使い捨ておむつによれば、第３交差部の幅方向の位置と第４交差部の幅方向の位置とが長手方向に対して平行に延びる直線上に配置されず、第３交差部にかかる力と第４交差部に掛かる力とが集中し難くなり、力の集中による肌への刺激を抑制できる。
【００２２】
第４交差部が第３交差部よりも幅方向の外側に位置するため、左右の脚回り開口部間の領域は、前側よりも後側の方が広くなる。後胴回り域における脚回り開口部間の領域が比較的広いため、装着時に着用者が後胴回り域からはみ出すことなく、後胴回り域に着用者を寝かせることができる。よって、着用者を刺激することなく、使い捨ておむつを装着することができる。また、前胴回り域における脚回り開口部間の領域が比較的狭いため、装着時に着用者の脚の間に前胴回り域を通して当該前胴回り域を腹に当てる際に、脚に刺激を与えることなく装着することができる。
【００２３】
かかる使い捨ておむつであって、
前記第１切欠き部は、前記前直線部から後方に向かって延びる第１延出部を有し、
前記第２切欠き部は、前記後直線部から前方に向かって延びる第２延出部を有し、
前記前直線部と前記第１延出部とがなす角度は、鈍角であり、
前記後直線部と前記第２延出部とがなす角度は、鋭角であり、
前記後直線部と前記第２延出部とが交差する第５交差部は、前記幅方向の外側に向かって尖った形状であってよい。
【００２４】
このような使い捨ておむつによれば、使い捨ておむつの前端縁に位置する第１切欠き部が鈍角であるため、肌に対する刺激を抑制できる。また、着用者のお腹に対して優しくあたる印象となり、母親の肌への刺激に対するストレスを少なくできる。また、使い捨ておむつの前端縁に位置する第２切欠き部は、ファスニングテープを止着した際に前胴回り域に重なって配置され、着用者の肌に直接触れない。よって、使い捨ておむつの後端縁と第２切欠き部が交差する第５交差部が鋭角であっても、着用者の肌への刺激を防止できる。
【００２５】
かかる使い捨ておむつであって、
前記第１切欠き部は、前記前直線部から後方に向かって延びる第１延出部を有し、
前記第２切欠き部は、前記後直線部から前方に向かって延びる第２延出部を有し、
前記第１延出部及び前記第２延出部は、前記長手方向に対して平行に延びてよい。
【００２６】
このような使い捨ておむつを製造する際には、複数の使い捨ておむつの前胴回り域、股下域及び後胴回り域が長手方向連続した連続シートを搬送し、当該連続シートを幅方向に延びる切断線で切断し、複数の使い捨ておむつを製造することができる。当該製造方法における連続シートの状態では、第１延出部と第２延出部とが連続しており、切断線で切断されることにより、一の使い捨ておむつの第１延出部と、隣接する使い捨ておむつの第２延出部と、が形成される。第１延出部と第２延出部が長手方向に対して平行であるため、製造時に切断位置が長手方向にずれた場合であっても、第１切欠き部及び第２切欠き部の角度が変化せずに、第１切欠き部及び第２切欠き部に意図せずに鋭角が形成されることを防止できる。
【００２７】
かかる使い捨ておむつであって、
前記使い捨ておむつの後胴回り域に配置され、前記幅方向に伸縮する腰回り伸縮部を有することが望ましい。
【００２８】
このような使い捨ておむつによれば、後胴回り域が腰回り伸縮部によって収縮し、長手方向に延びる皺が形成される。後胴回り域には、皺によって厚み方向に浮き上がる起伏が形成される。当該起伏によって使い捨ておむつの第１切欠き部及び第２切欠き部等における尖っている部分が目立ち難くなり、使い捨ておむつが全体的に肌に優しい印象となる視覚効果を発揮し、母親は、肌への刺激に対するストレスをより感じ難くなる。
【００２９】
かかる使い捨ておむつであって、
前記股下域には、前記幅方向に延びる折り目が設けられており、
前記折り目と前記凸部の幅方向中心との長手方向の距離は、前記折り目と前記凹部の幅方向中心との長手方向の距離よりも長いことが望ましい。
【００３０】
このような使い捨ておむつによれば、凸部は、折り目を基点に折り畳まれた状態で、凹部よりも長手方向の外側に延出する。母親等の装着補助者は、使い捨ておむつが複数積層された状態において、凸部を掴んで容易に使い捨ておむつを取り出すことが可能となる。
【００３１】
かかる使い捨ておむつであって、
吸収体の非肌面側に配置されるバックフィルムと、
前記バックフィルムの非肌面側に位置する不織布からなる外装シートと、を有し、
前記バックフィルムの前端縁は、前記使い捨ておむつの前端縁よりも後方に位置し、
前記バックフィルムの後端縁は、前記使い捨ておむつの後端縁よりも前方に位置することが望ましい。
【００３２】
かかる吸収性物品によれば、使い捨ておむつの前端縁及び後端縁の通気性が向上し、蒸れが低減されるため、乳児のデリケートな肌を保護することができる。
【００３３】
＝＝＝本実施の形態に係る使い捨ておむつについて＝＝＝
次に、本発明に係る使い捨ておむつ10の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきである。また、図面相互間においても互いの寸法の関係や比率が異なる部分が含まれ得る。
【００３４】
（１）使い捨ておむつの全体概略構成
図１は、本実施形態に係る使い捨ておむつ10の展開平面図である。図１に示す展開図は、使い捨ておむつを構成するトップシート50、サイドフラップ70等の皺が形成されない状態まで、レッグ伸縮部75を伸長させた状態の図である。
【００３５】
使い捨ておむつ10は、前胴回り域20と、股下域25と、後胴回り域30とを有する。前胴回り域20は、着用者の前胴回り部（腹部分）と接する部分である。また、後胴回り域30は、着用者の後胴回り部（背部分）と接する部分である。股下域25は、前胴回り域20と後胴回り域30との間に位置する。なお、本実施形態では、前胴回り域20から後胴回り域30に向かう方向を長手方向Lと呼び、長手方向Lと直交する方向を幅方向Wと呼ぶ。
【００３６】
使い捨ておむつ10は、吸収体40を有する。吸収体40は、吸収コア40aとコアラップ40bとを有する。吸収コア40aは、従来の使い捨ておむつと同様であり、粉砕パルプや高吸収ポリマーなど、公知の部材や材料を用いて適宜構成することができる。吸収コア40aは、シート状のコアラップ40bによって包まれている。
【００３７】
吸収体40の表面側（肌対向面側）には、液透過性のトップシート50が備えられる。また、吸収体40の裏面側（非肌対向面側）には、液不透過性のバックシート60aが備えられる。バックシート60aの裏面側には、外装シート60が備えられる。バックシートの前端縁は、使い捨ておむつの前端縁よりも後方に位置し、バックシートの後端縁は、使い捨ておむつの後端縁よりも前方に位置する。使い捨ておむつの前端縁及び後端縁には、外装シートのみが配置され、バックフィルムが配置されない。これにより、使い捨ておむつの前端縁及び後端縁の通気性が向上し、蒸れが低減されるため、着用者である乳児のデリケートな肌を保護することできる。また、着用者の肌にあたりやすい使い捨ておむつの前端縁及び後端縁は、バックフィルムを備えず、外装シートのみで構成されるため、使い捨ておむつの前端縁及び後端縁による肌への刺激を抑制できる。また、使い捨ておむつの前端縁及び後端縁の層数が少なく、使い捨ておむつの前端縁及び後端縁の剛性が低いため、母親は、使い捨ておむつが全体的に肌により優しい印象を持ち、肌への刺激に対するストレスをより低減できる。
【００３８】
吸収体40の外側縁（幅方向における外側端）には、サイドフラップ70がそれぞれ備えられる。サイドフラップ70は、前胴回り域20、股下域25、及び後胴回り域30を跨ぎ、かつ吸収体40よりも幅方向の外側に配置される。サイドフラップ70は、１枚または２枚以上の複数枚重ねた不織布によって構成されている。
【００３９】
サイドフラップ70には、脚回り開口部１３１よりも幅方向の内側に配置され、長手方向Lに伸縮可能な一対のレッグ伸縮部75が備えられる。レッグ伸縮部75は、左右の脚回り開口部よりも幅方向内側にそれぞれ配置される。
【００４０】
ファスニングテープ90は、一対であって、後胴回り域30において幅方向Wに延び、前胴回り域20の非肌対向面に止着されることにより、使い捨ておむつ10を着用者の身体に保持する。ファスニングテープ90は、後胴回り域30に対応するサイドフラップ70の領域に取り付けられている。ファスニングテープの外形は、曲線状であり、鋭角に尖った形状を有しない。これにより、母親は、ファスニングテープによって刺激を受ける懸念がなくなり、肌への刺激に対する不安が低減される。
【００４１】
ターゲット部95は、前胴回り域20の外装シート60の非肌対向側の面に設けられている。ターゲット部95は、ファスニングテープ90の係合フックが引っ掛かるように構成されており、フックとループの係止システムのループとして機能する。ターゲット部95としては、例えば、エアースルー不織布を用いることができる。これにより、使い捨ておむつをより柔らかく仕上げることができ、デリケートな乳児の肌が傷ついてしまいそうという母親の不安感を払拭することができる。
【００４２】
使い捨ておむつ10は、幅方向に伸縮可能な腰回り伸縮部を有する。腰回り伸縮部85は、後胴回り域に配置される。腰回り伸縮部85は、幅方向における一対のファスニングテープ90間に配置されており、ファスニングテープ90間を幅方向に収縮する。腰回り伸縮部85の前端縁は、幅方向中心が後方に向かって凹む曲線形状である。これにより、腰回り伸縮部85が配置される使い捨ておむつの後端部を、着用者の臀部の丸みに沿ってフィットさせることができる。また、後胴回り域に腰回り伸縮部が配置されていることにより、後胴回り域が腰回り伸縮部によって収縮し、長手方向に延びる皺が形成される。後胴回り域には、皺によって厚み方向に浮き上がる起伏が形成される。当該起伏によって使い捨ておむつの外縁（後述する第１切欠き部及び第２切欠き部等）が目立ち難くなり、使い捨ておむつが全体的に肌に優しい印象となる視覚効果を発揮し、母親は、肌への刺激に対するストレスをより感じ難くなる。
【００４３】
（２）使い捨ておむつの外縁形状
次いで、使い捨ておむつの外縁の形状について詳細に説明する。以下の説明における外縁形状は、使い捨ておむつの伸長状態（図１に示す状態）における形状である。使い捨ておむつの外縁とは、図１に示す平面状態における使い捨ておむつの輪郭である。使い捨ておむつの外縁は、ファスニングテープを除いたシートの外縁であり、前端縁１１と、後端縁１２と、一対の外側縁１３と、を有する。図２は、使い捨ておむつの前端縁１１を拡大した平面図である。図３は、使い捨ておむつの後端縁１２を拡大した平面図である。図４は、使い捨ておむつの外側縁１３を拡大した平面図である。
【００４４】
使い捨ておむつの前端縁１１は、幅方向Ｗに延びており、凹部１１１と、凹部１１１を挟んで両側に配置される前直線部１１２と、を有する。凹部１１１と前直線部１１２は、連続している。凹部１１１は、幅方向の中心を含む領域に設けられる。凹部１１１は、後方に向かって凹む形状であり、曲線状に形成されている。凹部１１１の幅は、後方に向かうにつれて狭くなっている。前直線部１１２は、凹部１１１の外側縁１１１Ｅから幅方向Ｗ外側に向かって、幅方向に対して平行に延びる。前直線部１１２の内側縁は、凹部１１１の外側縁１１１Ｅであり、凹部１１１と前直線部１１２とが交差する第１交差部１１３となる。前直線部１１２の外側縁１１２Ｅは、使い捨ておむつの前端縁１１における外側縁１１Ｅである。曲線状の凹部によって、デリケートな乳児のおへそに使い捨ておむつの長手方向の端部が当たり難くなり、着用者の肌への刺激を抑えつつおへそを保護できる。着用者の腹側は、背側に比べて膨らんだ形状であり、使い捨ておむつの前端縁が配置される。使い捨ておむつの前端縁は、切欠部と幅方向に対して平行に延びる前直線部が配置され、長手方向外側に向かって突出していない。そのため、着用者の膨らんだお腹に使い捨ておむつの前端縁があたった際の刺激が少なく、デリケートな乳児の肌を保護することができる。母親は、曲線状の凹部によって肌に優しい印象を持ち、肌への刺激に対するストレスを低減できる。また、使い捨ておむつの前端縁は、凹部から幅方向に対して平行に延び、長手方向外側に突出しない。よって、使い捨ておむつの前端縁による肌に対する刺激を抑制できる。
【００４５】
使い捨ておむつの後端縁１２は、幅方向Ｗに延びており、凸部１２１と、凸部１２１を挟んで両側に配置され後直線部１２２と、を有する。凸部１２１と後直線部１２２は、連続している。凸部１２１は、幅方向の中心を含む領域に設けられる。凸部１２１は、後方に向かって突出する形状であり、曲線状に形成されている。凸部１２１の幅は、後方に向かうにつれて狭くなっている。後直線部１２２は、凸部１２１の外側縁１２１Ｅから幅方向Ｗ外側に向かって、幅方向に対して平行に延びる。後直線部１２２の内側縁は、凸部１２１の外側縁１２１Ｅであり、凸部１２１と後直線部１２２とが交差する第２交差部１２３となる。後直線部１２２の外側縁１２２Ｅは、使い捨ておむつの後端縁１２における外側縁１２Ｅである。着用者の背中の中心は、背骨が配置され、左右の部位よりも腹側に凹んでいる。当該凹む部位（ミカエルの菱形）は、仙骨部分の凹みであり、凸部が配置される。凸部及び後直線部によって背中の凹む部位とその両側を覆うことができ、背側における漏れを防止できる。使い捨ておむつの後端縁は、凸部と幅方向に対して平行に延びる後直線部が配置され、長手方向外側に向かって突出していない。そのため、装着時に着用者を後胴回り域に載せて、着用者の膨らんだ背中に使い捨ておむつの後端縁があたった際の刺激が少なく、デリケートな乳児の肌を保護することができる。比較的硬い背骨及びその周囲に当たる凸部が曲線状に突出した形状であるため、母親は、肌に優しい印象を持ち、肌への刺激に対するストレスを低減できる。
【００４６】
使い捨ておむつの外側縁１３は、長手方向に延びており、脚回り開口部１３１と、脚回り開口部の前方に配置される前フラップ部１３２と、脚回り開口部１３１の後方に配置される後フラップ部１３３と、を有する。前フラップ部１３２と、脚回り開口部１３１と、後フラップ部１３３と、は、連続している。脚回り開口部１３１は、少なくとも股下域２５に配置される。脚回り開口部１３１は、着用者の脚回りに配置される。脚回り開口部１３１は、幅方向内側に向かって凹む形状である。これにより、着用者の脚の動きを脚回り開口部によって阻害しにくく、脚回り開口部による肌への刺激を低減できる。  
【００４７】
前フラップ部１３２は、脚回り開口部１３１から前方に向かって延びるとともに幅方向外側に延びる第１前フラップ部１３２ａと、第１前フラップ部１３２ａの外側縁（前端縁）から前方に向かって延びる第２前フラップ部１３２ｂと、を有する。前フラップ部１３２は、脚回り開口部１３１の前端縁１３１Ｆから前方に向かって延びるとともに幅方向外側に延びる。
【００４８】
第３交差部の幅方向の位置と第４交差部の幅方向の位置とは、幅方向においてずれていてよい。脚回り開口部とフラップ部とが交差する第３交差部及び第４交差部は、フラップ部に係る力と脚回りに係る力との両方がかかるため、力が集中し易い。このような使い捨ておむつによれば、第３交差部の幅方向の位置と第４交差部の幅方向の位置とが長手方向に対して平行に延びる直線上に配置されず、第３交差部にかかる力と第４交差部に掛かる力とが集中し難くなり、力の集中による肌への刺激を抑制できる。また、前フラップ部１３２は、脚回り開口部１３１の前端縁よりも幅方向外側に延出している。これにより、装着時において後胴回り域に着用者を載せて、着用者の股下から前胴回り域を着用者の腹側に引き寄せた際に、前フラップ部１３２に着用者の脚を引っ掛けることができ、装着時における前胴回り域の位置が安定する。装着時に前胴回り域の位置が安定するため、前胴回り域が意図せずに移動して肌への刺激を与えるおそれがなくなり、母親の肌への刺激に対する不安感をより払拭できる。
【００４９】
後フラップ部１３３は、脚回り開口部１３１の後端縁１３１Ｒから後方に向かって延びるとともに幅方向外側に延びる。後フラップ部１３３は、脚回り開口部１３１の後端縁１３１Ｒよりも幅方向外側に延出している。後フラップ部１３３は、脚回り開口部１３１から後方に向かって延びるとともに幅方向外側に延びる第１後フラップ部１３３ａと、第１後フラップ部１３３ａの外側縁（後端縁）から後方に向かって延びる第２後フラップ部１３３ｂと、を有する。これにより、装着時において後胴回り域に着用者を載せた際に後フラップ部が着用者よりも幅方向外側に配置され易い。前胴回り域に着用者を載せた後に前胴回り域の外側縁を着用者の体の下から引き出す必要がなくなり、使い捨ておむつと着用者の肌とが擦れることを防止できる。
【００５０】
前フラップ部１３２の前端縁１３２Ｆは、使い捨ておむつの外側縁における前端縁１３Ｆである。前フラップ部１３２の後端縁１３２Ｒは、脚回り開口部１３１の前端縁１３１Ｆであり、第１前フラップ部１３２ａと脚回り開口部１３１が交差する第３交差部１３４となる。後フラップ部１３３の後端縁１３２Ｒは、使い捨ておむつの外側縁における後端縁１３Ｒである。後フラップ部１３３の前端縁１３３Ｆは、脚回り開口部１３１の後端縁１３１Ｒであり、第１後フラップ部１３３ａと脚回り開口部１３１が交差する第４交差部１３５となる。後フラップ部１３３の後端縁１３３Ｒは、使い捨ておむつの外側縁１３における後端縁１３Ｒである。
【００５１】
第１交差部１１３、第２交差部１２３、第３交差部１３４、及び第４交差部１３５は、平面視において曲線形状である。すなわち、第１交差部１１３、第２交差部１２３、第３交差部１３４、及び第４交差部１３５は、尖った角及び直線を有しない形状である。第１交差部及び第２交差部が曲線形状であることにより、デリケートなおへそ回りや背骨の硬い箇所に対する刺激を抑制できる。第３交差部及び第４交差部が曲線形状であることにより、脚回り開口部の前端縁及び後端縁に尖った角が形成されない。着用者が脚を動かして脚回り開口部が着用者に強く当たった場合であっても、着用者の脚回りに対する刺激を抑えることができる。
【００５２】
使い捨ておむつは、前直線部１１２における外側縁１１２Ｅから後方に向かって曲線状に凹み、かつ使い捨ておむつの外側縁１３における前端縁１３Ｆから幅方向内側に向かって曲線状に凹む一対の第１切欠き部１５と、後直線部１２２における外側縁１２２Ｅから前方に向かって曲線状に凹み、かつ使い捨ておむつの外側縁１３における後端縁１３Ｒから幅方向内側に向かって曲線状に凹む一対の第２切欠き部１６と、を有する。図２に示すように、第１切欠き部１５は、前端縁１１の外側縁１１Ｅと、外側縁１３における前端縁１３Ｆと、の間に設けられる。第１切欠き部１５の内側縁は、使い捨ておむつの前端縁１１の外側縁１１Ｅに一致する。第１切欠き部１５は、前直線部１１２から後方に向かって延びる第１延出部１５１と、第１延出部１５１の後端縁１５１Ｒから後方に向かって延びつつ幅方向外側に延びる第１幅延出部１５２と、を有する。第１延出部１５１は、長手方向Ｌに対して平行に延びる。第１延出部１５１は、前直線部１１２から後方に向かって前後方向に平行に延びていてもよいし、前直線部１１２から後方に向かうに連れて幅方向外側に向かって延びていてもよい。すなわち、第１延出部１５１は、前直線部１１２から幅方向内側に延びていない。第１幅延出部１５２は、第２前フラップ部１３２ｂに連なる。第１切欠き部は、長手方向外側に尖った形状を備えず、第１切欠き部による肌に対する刺激を抑制できる。
【００５３】
図３に示すように、第２切欠き部１６は、後端縁１２の外側縁１２Ｅと、外側縁１３における後端縁１３Ｒと、の間に設けられる。第２切欠き部１６の内側縁は、使い捨ておむつの後端縁１２の外側縁１２Ｅに一致する。第２切欠き部１６は、後直線部１２２から前方に向かって延びる第２延出部１６１と、第２延出部１６１の前端縁１６１Ｆから前方に向かって延びつつ幅方向外側に延びる第２幅延出部１６２と、を有する。第２延出部１６１は、長手方向に対して平行に延びる。第２延出部１６１は、後直線部１２２から前方に向かって前後方向に平行に延びていてもよいし、後直線部１２２から前方に向かうに連れて幅方向外側に向かって延びていてもよい。すなわち、第２延出部１６１は、後直線部１２２から幅方向内側に延びていない。第２幅延出部１６２は、第２後フラップ部１３３ｂに連なる。第２切欠き部が長手方向外側に尖った形状を備えないため、第２切欠き部による肌に対する刺激を抑制できる。また、使い捨ておむつの四隅、前端縁、及び後端縁には、長手方向外側に尖った形状が設けられてないため、母親は、使い捨ておむつが全体的に肌に優しい印象を持ち、肌への刺激に対するストレスを低減できる。
【００５４】
使い捨ておむつの四隅を構成する第１切欠き部１５と第２切欠き部１６は、長手方向の内側に向かって曲線状に凹み、かつ幅方向の内側に向かって曲線状に凹む形状である。よって、第１切欠き部及び第２切欠き部は、長手方向外側に尖った形状を備えず、第１切欠き部及び第２切欠き部による肌に対する刺激を抑制できる。
【００５５】
加えて、ファスニングテープが止着された状態で使い捨ておむつの前端縁と使い捨ておむつの後端縁は、重なるように配置される。このとき、第１切欠き部及び第２切欠き部が幅方向内側に凹むため、使い捨ておむつの後端縁における外側縁と使い捨ておむつの前端縁における外側縁とが重ならずに、幅方向に離間して配置されやすい。また、図４に示すように、第１切欠き部の内側縁は、脚回り開口部１３１の前端縁１３１Ｆから前方に延びる仮想線よりも幅方向内側に位置する。すなわち、第１切欠き部１５は、脚回り開口部１３１の前端縁１３１Ｆよりも幅方向内側に凹んでいる。第２切欠き部１６の内側縁は、脚回り開口部１３１の後端縁１３１Ｒから後方に延びる仮想線よりも幅方向内側に位置する。すなわち、第２切欠き部１６は、脚回り開口部１３１の後端縁１３１Ｒよりも幅方向内側に凹んでいる。これにより、装着時に着用者の脚回りに沿って脚回り開口部の前端縁と後端縁とを重ねた際に、使い捨ておむつの後端縁における外側縁と使い捨ておむつの前端縁における外側縁とが重なり難く、幅方向に離間して配置されやすい。これにより、通気性が向上し、蒸れを抑制し、湿疹等の肌トラブルを抑制できる。また、使い捨ておむつの後端縁における外側縁と使い捨ておむつの前端縁における外側縁とが重なった場合には、第１切欠き部は、後胴回り域によって覆われるため、着用者の肌に直接当たり易い。当該第１切欠き部が曲線状に凹む形状であるため、着用時における肌への刺激を抑制できる。
【００５６】
このような使い捨ておむつを製造する際には、複数の使い捨ておむつの前胴回り域、股下域及び後胴回り域が長手方向連続した連続シートを搬送し、当該連続シートを幅方向に延びる切断線で切断し、複数の使い捨ておむつを製造することができる。当該製造方法における連続シートの状態では、第１延出部と第２延出部とが連続しており、切断線で切断されることにより、一の使い捨ておむつの第１延出部と、隣接する使い捨ておむつの第２延出部と、が形成される。第１延出部と第２延出部が長手方向に対して平行に延びるため、製造時に切断位置が長手方向にずれた場合であっても、第１切欠き部及び第２切欠き部の角度が変化せずに、第１切欠き部及び第２切欠き部に意図せずに鋭角が形成されることを防止できる。
【００５７】
（３）変形例
次いで、図５に基づいて変形例に係る使い捨ておむつについて説明する。なお、変形例の説明において、上述の実施形態と同様の構成については同符号を用いて説明を省略する。変形例に係る使い捨ておむつの前端縁１１における前直線部１１２と第１延出部１５１とがなす角度θ１は、鈍角である。第１延出部１５１は、前直線部１１２から後方に向かうにつれて幅方向外側に延びる。また、使い捨ておむつの後端縁１２における後直線部１２２と第２延出部１６１とがなす角度θ２は、鋭角である。第２延出部１５２は、後直線部１２２から前方に向かうにつれて幅方向外側に延びる。後直線部１２２と第２延出部１６１とが交差する第５交差部１５３は、幅方向の外側に向かって尖った形状であってよい。第５交差部１５３は、長手方向外側に向かって尖っていない。第１切欠き部が鈍角であるため、肌に対する刺激を抑制できる。また、着用者のお腹に対して優しくあたる印象となり、母親の肌への刺激に対するストレスを少なくできる。また、第２切欠き部は、ファスニングテープを止着した際に前胴回り域に重なって配置され、着用者の肌に直接触れない。よって、使い捨ておむつの後端縁と第２切欠き部が交差する第５交差部が鋭角であっても、着用者の肌への刺激を防止できる。
【００５８】
また、変形例に係る使い捨ておむつは、幅方向に延びる折り目ＦＬ１を有する。折り目ＦＬ１は、股下域２５に配置され、幅方向Ｗに対して平行に延びる。使い捨ておむつは、少なくとも折り目によって二つ折りされた状態でパッケージに収容される。折り目ＦＬ１と凸部１２１の幅方向中心との長手方向の距離Ｌ１は、折り目ＦＬ１と凹部１１１の幅方向中心との長手方向の距離Ｌ２よりも長くてよい。これにより、凸部は、折り目を基点に折り畳まれた状態で、凹部よりも長手方向の外側に延出する。母親等の装着補助者は、使い捨ておむつが複数積層された状態において、凸部を掴んで容易に使い捨ておむつを取り出すことが可能となる。
【００５９】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。したがって、本発明の技術的範囲は、上述の説明から妥当な特許請求の範囲に係る発明特定事項によってのみ定められるものである。
【符号の説明】
【００６０】
１０、１０Ａ      ：使い捨ておむつ
２０      ：前胴回り域
２５      ：股下域
３０      ：後胴回り域
４０      ：吸収体
１１      ：前端縁、１１Ｅ    ：外側縁
１１１    ：凹部、１１１Ｅ  ：外側縁
１１２    ：前直線部、１１２Ｅ  ：外側縁
１２      ：後端縁、１２Ｅ    ：外側縁
１２１    ：凸部、１２１Ｅ  ：外側縁
１２２    ：後直線部、１２２Ｅ  ：外側縁
１３      ：外側縁
１３１    ：脚回り開口部
１３２    ：前フラップ部、１３２ａ  ：第１前フラップ部、１３２ｂ  ：第２前フラップ部
１３３    ：後フラップ部、１３３ａ  ：第１後フラップ部、１３３ｂ  ：第２後フラップ部
１５      ：第１切欠き部
１５１    ：第１延出部
１５２    ：第１幅延出部
１６      ：第２切欠き部
１６１    ：第２延出部
１６２    ：第２幅延出部
１１３    ：第１交差部
１２３    ：第２交差部
１３４    ：第３交差部
１３５    ：第４交差部
Ｌ        ：長手方向
Ｗ        ：幅方向
【図１】
2017136112.tif 000003
【図２】
2017136112.tif 000004
【図３】
2017136112.tif 000005
【図４】
2017136112.tif 000006
【図５】
2017136112.tif 000007